(57)【特許請求の範囲】
【請求項１】
記録媒体に記録されている画像が再生されている状態で拡大率が決定される操作が行われることに応じて再生画像の一部分を切り出し、該切り出した画像を解像度変換して表示手段に拡大画像として表示させる第１の処理と、
複数の画像サイズの中から画像サイズを選択する操作が行われたことに応じて、前記拡大画像を、前記選択された画像サイズに変換して、別画像として記録媒体に記録させる第２の処理とを行う処理手段を備えた
デジタルカメラ装置。
【請求項２】
請求項１に記載のデジタルカメラ装置において、
前記第２の処理では、さらに、複数の圧縮率の中から圧縮率を選択する操作が行われたことに応じて、前記拡大画像を、前記選択された圧縮率でエンコードして、前記別画像として前記記録媒体に記録させる
デジタルカメラ装置。
【請求項３】
請求項２に記載のデジタルカメラ装置において、
前記第２の処理では、前記複数の画像サイズと、前記複数の圧縮率とを、前記拡大画像が表示されている前記表示手段の画面上に表示する
デジタルカメラ装置。
【発明の詳細な説明】
【０００１】
【発明の属する技術分野】
本発明は、記録された画像をトリミングする場合に使用して好適なデジタルカメラ装置に関する。詳しくは、記録媒体に記録されている画像を任意の位置及び倍率で表示し、表示された画像を任意のサイズ及び任意の圧縮率で別画像として記録媒体に記録するものである。
【０００２】
【従来の技術】
例えば記録媒体に記録されている画像を画像を任意の位置及び任意の倍率で表示し、その画像を新たに別画像として記録媒体に記録する、いわゆるトリミング機能を搭載したデジタルカメラ装置が提案されている（特開２０００−２１７０２４号公報参照）。
【０００３】
すなわち図１３は、従来における通常再生状態からトリミング実行までの画面の遷移を示す。この図１３において、まず記録媒体に記録されている画像が再生されている状態（図１３のＡ）でズームアップキー（図示せず）が押されることにより拡大率が決定される。そしてこの拡大率に応じて再生画像の一部分が切り出され、この切り出された画像が表示手段で表示するのに適したサイズ（例えば６４０×４８０）に解像度変換され、表示手段に拡大画像として表示される（図１３のＢ）。
【０００４】
続いて、この拡大画像が表示されている状態でシャッターキー（図示せず）が押されることにより、元の画像から切り出された部分の画像サイズにて、拡大画像が新たに記録媒体に別画像として記録される（図１３のＣ）。このようにして通常再生状態からトリミングが行われて、トリミングされた画像が記録媒体に別画像として記録される。
【０００５】
ところがこの場合に、この別画像として新たに記録媒体に記録された画像のサイズは、元の画像から切り出した部分の画像サイズであるために、元の画像と同じまたはより大きな画像サイズでは記録することができない。また、この別画像として新たに記録媒体に記録された画像の圧縮率は、使用者が任意に設定できるものではなく、所定の圧縮率（例えば元の画像と同じ圧縮率）であるため、より高画質で記録したり、より小容量で記録したりすることができない。
【０００６】
【発明が解決しようとする課題】
この出願はこのような点に鑑みて成されたものであって、解決しようとする問題点は、従来の装置では、記録媒体に記録されている画像を再生し、任意の位置及び倍率にトリミングして新たに別画像として記録媒体に記録する場合に、トリミングによって形成された画像を、使用者が希望するサイズや圧縮率で記録することができなかったというものである。
【０００７】
【課題を解決するための手段】
このため本発明においては、記録媒体に記録されている画像が再生されている状態で拡大率が決定される操作が行われることに応じて、この再生画像の一部分を切り出して拡大画像として表示し、この拡大画像を複数の画像サイズの中から任意に選択したサイズで新たに別画像として記録媒体に記録するようにしたものであって、これによれば、再生画像の一部分を切り出して表示させた拡大画像を、使用者が希望するサイズや圧縮率で記録することができる。
【０００８】
【発明の実施の形態】
すなわち本発明は、記録媒体に記録されている画像が再生されている状態で拡大率が決定される操作が行われることに応じて再生画像の一部分を切り出し、該切り出した画像を解像度変換して表示手段に拡大画像として表示させる第１の処理と、
複数の画像サイズの中から画像サイズを選択する操作が行われたことに応じて、前記拡大画像を、前記選択された画像サイズに変換して、別画像として記録媒体に記録させる第２の処理とを行う処理手段を備えてなるものである。
【００１１】
以下、図面を参照して本発明を説明するに、図１は本発明を適用したデジタルカメラ装置の第１の実施形態の構成を示すブロック図である。
【００１２】
図１において、被写体（図示せず）からの映像光が、撮像レンズ１０１を通じて光量を電気信号に変換する半導体撮像素子（ＣＣＤ）１０２に照射される。そしてこの半導体撮像素子１０２からの電気信号が量子化のためのＡ／Ｄ変換器１０３に供給され、量子化された信号がデジタル信号処理により画像データを作成する信号処理回路１０４を通じて、画像の拡大縮小処理を行うためのメモリ装置（ＤＲＡＭ）１０５に書き込まれる。
【００１３】
このメモリ装置１０５に書き込まれた画像データが、解像度変換回路１０６との間で交換されて画像の解像度の変換が行われる。さらにこのメモリ装置１０５からの信号が符号化及び復号化のためのエンコード／デコード回路１０７に供給され、符号化された画像データが、フラッシュメモリ１０９への記録を制御するメモリコントローラ１０８に供給される。これによって、符号化された画像データがフラッシュメモリ１０９に記録される。
【００１４】
また、このフラッシュメモリ１０９に記録された画像データがメモリコントローラ１０８を通じてエンコード／デコード回路１０７に供給される。そして復号化された画像データがメモリ装置１０５に書き込まれる。さらにこのメモリ装置１０５に書き込まれた画像データが信号処理回路１０４に供給される。
【００１５】
さらに操作部１１０からの操作入力信号が装置の各ブロックを制御するマイクロコンピュータ（以下、マイコンと略称する）１１１に供給される。そしてこのマイコン１１１からの制御信号が、例えば文字信号を発生する文字信号発生回路１１２に供給され、発生された文字信号が表示装置（ＬＣＤ）１１３に供給されて、マイコン１１１で指定された文字が表示される。
【００１６】
またマイコン１１１からの制御信号が、信号処理回路１０４、解像度変換回路１０６、エンコード／デコード回路１０７、メモリコントローラ１０８に供給される。さらに信号処理回路１０４からの画像信号が表示装置１１３に供給され、これによって半導体撮像素子１０２で撮像された画像や、メモリ装置１０５に書き込まれた画像が表示装置１１３に表示される。
【００１７】
そしてこの装置において、マイコン１１１で行われる各ブロックを制御する各モードでの動作は、例えば図２以下にそれぞれ示すフローチャートのように行われる。なおこれらの動作アルゴリズムは、例えばマイコン１１１に内蔵のリードオンリーメモリ（図示せず）に格納されているプログラムであり、無限実行されるものである。
【００１８】
そこでまず通常時の再生は、例えば図２に示すように行われる。図２において、ステップＳ２０１で操作部１１０内のズームアップキーが押されたか否か判別される。そして押されているとき（Ｙｅｓ）は、ステップＳ２０２でメモリ装置１０５にて拡大率がアップされ、ステップＳ２０３で再生ズーム画面が表示装置１１３に表示されて処理が終了される。
【００１９】
またステップＳ２０１でズームアップキーが押されていないとき（Ｎｏ）は、ステップＳ２０４でズームダウンキーが押されたか否か判別され、押されていないとき（Ｎｏ）は処理が終了される。さらに押されているとき（Ｙｅｓ）は、ステップＳ２０５で等倍より大きいか否か否か判別され、大きくないとき（Ｎｏ）は処理が終了される。
【００２０】
さらにステップＳ２０５で等倍より大きいとき（Ｙｅｓ）は、ステップＳ２０６で拡大率がダウンされる。さらにステップＳ２０７で等倍か否か判別され、等倍でないないとき（Ｎｏ）は処理が終了される。また等倍のときはステップＳ２０８で通常再生画面が表示装置１１３に表示されて処理が終了される。このようにして通常時の再生が行われている。
【００２１】
続いてトリミングを行う際には、例えば図３に示すように行われる。図３において、ステップＳ３０１で操作部１１０内のメニューキーが押されたか否か判別される。そして押されているとき（Ｙｅｓ）は、ステップＳ３０２でメニューがＯＮ中か否か判別され、ＯＮ中のとき（Ｙｅｓ）はステップＳ３０３でメニューがＯＦＦされて処理が終了される。またＯＮ中でないとき（Ｎｏ）はステップＳ３０４でメニューがＯＮされて処理が終了される。
【００２２】
またステップＳ３０１でメニューキーが押されていないとき（Ｎｏ）は、ステップＳ３０５で操作部１１０内の十字キーが押されたか否か判別され、押されているとき（Ｙｅｓ）は、ステップＳ３０６でメニューがＯＮ中か否か判別される。そしてＯＮ中のとき（Ｙｅｓ）は、ステップＳ３０７で十字キーが押された方向にカーソルが移動可能か否か判断され、可能のとき（Ｙｅｓ）はステップＳ３０８で押された方向にカーソルが移動されて処理が終了され、可能でないとき（Ｎｏ）はそのまま処理が終了される。
【００２３】
さらにステップＳ３０６でメニューがＯＮ中でないとき（Ｎｏ）は、ステップＳ３０９で十字キーが押された方向に画像がスクロール可能か否か判断され、可能のとき（Ｙｅｓ）はステップＳ３１０で押された方向に画像がスクロールされて処理が終了され、可能でないとき（Ｎｏ）はそのまま処理が終了される。
【００２４】
また、ステップＳ３０５で十字キーが押されていないとき（Ｎｏ）は、ステップＳ３１１で操作部１１０内の決定キーが押されたか否か判別され、押されていないとき（Ｎｏ）は処理が終了される。さらに押されているとき（Ｙｅｓ）は、ステップＳ３１２でメニューがＯＮ中か否か判別され、ＯＮ中でないとき（Ｎｏ）は処理が終了される。
【００２５】
そしてステップＳ３１２でＯＮ中のとき（Ｙｅｓ）は、ステップＳ３１３でカーソル位置が判断され、カーソル位置が「トリミング」のときはステップＳ３１４で画像サイズ選択画面が表示装置１１３に表示されて処理が終了される。またカーソル位置が「戻る」のときはステップＳ３１５で通常再生画面が表示装置１１３に表示されて処理が終了される。
【００２６】
さらに画像サイズ選択画面での動作は、例えば図４に示すように行われる。図４において、ステップＳ４０１で操作部１１０内の十字キーが押されたか否か判別され、押されているとき（Ｙｅｓ）は、ステップＳ４０２で十字キーが押された方向にカーソルが移動可能か否か判断され、可能のとき（Ｙｅｓ）はステップＳ４０３で押された方向にカーソルが移動されて処理が終了され、可能でないとき（Ｎｏ）はそのまま処理が終了される。
【００２７】
また、ステップＳ４０１で十字キーが押されていないとき（Ｎｏ）は、ステップＳ４０４で操作部１１０内の決定キーが押されたか否か判別され、押されていないとき（Ｎｏ）は処理が終了される。さらに押されているとき（Ｙｅｓ）は、ステップＳ４０５でカーソル位置が判断され、カーソル位置に応じてステップＳ４０６〜４０８でそれぞれのサイズに画像サイズが変換される。
【００２８】
またカーソル位置が「キャンセル」のときはステップＳ４０９で再生ズーム画面が表示装置１１３に表示されて処理が終了される。一方、ステップＳ４０６〜４０８でそれぞれのサイズに変換された画像は、ステップＳ４１０でエンコード／デコード回路１０７にて最高画質でエンコードされ、ステップＳ４１１でメモリコントローラ１０８を通じてフラッシュメモリ１０９に画像記録される。このようにしてトリミングされた画像の再記録が行われる。
【００２９】
そしてこの場合における通常再生状態からトリミング実行までの画面の遷移は例えば図５に示すようになる。この図５において、まず記録媒体に記録されている画像が再生されている状態（図５のＡ）でズームアップキーが押されることにより拡大率が決定される。そしてこの拡大率に応じて再生画像の一部分が切り出され、この切り出された画像が表示装置１１３で表示するのに適したサイズに解像度変換されて、表示手段に拡大画像として表示される（図５のＢ）。
【００３０】
続いて、この状態でメニューキーが押されることにより、画面上に「トリミング」と「戻る」のメニューが表示される（図５のＣ）。ここで「トリミング」が選択されて決定キーが押されると、画面上に変換可能なそれぞれの画像サイズが表示される（図５のＤ）。そして任意の画像サイズが選択されて決定キーが押されると、選択された画像サイズにて、拡大画像が新たに記録媒体に別画像として記録される（図５のＥ）。
【００３１】
こうしてこの装置において、通常再生状態からトリミングが行われて、トリミングされた画像が記録媒体に別画像として記録される。そしてこの場合に、メニューキーにより「トリミング」が選択されて決定キーが押されると、画面上に変換可能なそれぞれの画像サイズが表示され、その画像サイズを選択することによって、使用者は希望する任意の画像サイズにて、拡大画像を新たに記録媒体に別画像として記録することができる。
【００３２】
従ってこの実施形態において、記録媒体に記録されている画像を任意の位置及び任意の倍率で表示し、表示された画像を任意のサイズで新たに別画像として記録媒体に記録するようにしたことによって、記録媒体に記録されている画像を任意の位置及び任意の倍率にして形成された画像を、使用者が希望するサイズで記録することができる。
【００３３】
これによって、従来の装置では、記録媒体に記録されている画像を再生し、任意の位置及び倍率にトリミングして新たに別画像として記録媒体に記録する場合に、トリミングによって形成された画像を、使用者が希望するサイズや圧縮率で記録することができなかったものを、本発明によればこれらの問題点を容易に解消することができるものである。
【００３４】
次に、本発明の第２の実施形態を説明するに、この第２の実施形態では、上述の図１に示した構成のブロック図、及び図２に示した通常時の再生処理の流れは第１の実施形態と同様であるので詳細な説明は省略する。
【００３５】
そこで第２の実施形態でトリミングを行う際には、例えば図６に示すように行われる。図６において、ステップＳ５０１で操作部１１０内のメニューキーが押されたか否か判別される。そして押されているとき（Ｙｅｓ）は、ステップＳ５０２でメニューがＯＮ中か否か判別され、ＯＮ中のとき（Ｙｅｓ）はステップＳ５０３でメニューがＯＦＦされて処理が終了される。またＯＮ中でないとき（Ｎｏ）はステップＳ５０４でメニューがＯＮされて処理が終了される。
【００３６】
またステップＳ５０１でメニューキーが押されていないとき（Ｎｏ）は、ステップＳ５０５で操作部１１０内の十字キーが押されたか否か判別され、押されているとき（Ｙｅｓ）は、ステップＳ５０６でメニューがＯＮ中か否か判別される。そしてＯＮ中のとき（Ｙｅｓ）は、ステップＳ５０７で十字キーが押された方向にカーソルが移動可能か否か判断され、可能のとき（Ｙｅｓ）はステップＳ５０８で押された方向にカーソルが移動されて処理が終了され、可能でないとき（Ｎｏ）はそのまま処理が終了される。
【００３７】
さらにステップＳ５０６でメニューがＯＮ中でないとき（Ｎｏ）は、ステップＳ５０９で十字キーが押された方向に画像がスクロール可能か否か判断され、可能のとき（Ｙｅｓ）はステップＳ５１０で押された方向に画像がスクロールされて処理が終了され、可能でないとき（Ｎｏ）はそのまま処理が終了される。
【００３８】
また、ステップＳ５０５で十字キーが押されていないとき（Ｎｏ）は、ステップＳ５１１で操作部１１０内の決定キーが押されたか否か判別され、押されていないとき（Ｎｏ）は処理が終了される。さらに押されているとき（Ｙｅｓ）は、ステップＳ５１２でメニューがＯＮ中か否か判別され、ＯＮ中でないとき（Ｎｏ）は処理が終了される。
【００３９】
そしてステップＳ５１２でＯＮ中のとき（Ｙｅｓ）は、ステップＳ５１３でカーソル位置が判断され、カーソル位置が「トリミング」のときはステップＳ５１４で圧縮率選択画面が表示装置１１３に表示されて処理が終了される。またカーソル位置が「戻る」のときはステップＳ５１５で通常再生画面が表示装置１１３に表示されて処理が終了される。
【００４０】
さらに圧縮率選択画面での動作は、例えば図７に示すように行われる。図７において、ステップＳ６０１で操作部１１０内の十字キーが押されたか否か判別され、押されているとき（Ｙｅｓ）は、ステップＳ６０２で十字キーが押された方向にカーソルが移動可能か否か判断され、可能のとき（Ｙｅｓ）はステップＳ６０３で押された方向にカーソルが移動されて処理が終了され、可能でないとき（Ｎｏ）はそのまま処理が終了される。
【００４１】
また、ステップＳ６０１で十字キーが押されていないとき（Ｎｏ）は、ステップＳ６０４で操作部１１０内の決定キーが押されたか否か判別され、押されていないとき（Ｎｏ）は処理が終了される。さらに押されているとき（Ｙｅｓ）は、ステップＳ６０５でカーソル位置が判断され、カーソル位置に応じてステップＳ６０６〜６０８でそれぞれの圧縮率で画像がエンコードされる。
【００４２】
またカーソル位置が「キャンセル」のときはステップＳ６０９で再生ズーム画面が表示装置１１３に表示されて処理が終了される。一方、ステップＳ６０６〜６０８でそれぞれのサイズに変換された画像は、ステップＳ６１０でメモリコントローラ１０８を通じてフラッシュメモリ１０９に画像記録される。このようにしてトリミングされた画像の再記録が行われる。
【００４３】
そしてこの場合における通常再生状態からトリミング実行までの画面の遷移は例えば図８に示すようになる。この図８において、まず記録媒体に記録されている画像が再生されている状態（図８のＡ）でズームアップキーが押されることにより拡大率が決定される。そしてこの拡大率に応じて再生画像の一部分が切り出され、この切り出された画像が表示装置１１３で表示するのに適したサイズに解像度変換されて、表示手段に拡大画像として表示される（図８のＢ）。
【００４４】
続いて、この状態でメニューキーが押されることにより、画面上に「トリミング」と「戻る」のメニューが表示される（図８のＣ）。ここで「トリミング」が選択されて決定キーが押されると、画面上にエンコード可能なそれぞれの画質（圧縮率）が表示される（図８のＤ）。そして任意の画質が選択されて決定キーが押されると、選択された画質にて、拡大画像が新たに記録媒体に別画像として記録される（図８のＥ）。
【００４５】
こうしてこの装置において、通常再生状態からトリミングが行われて、トリミングされた画像が記録媒体に別画像として記録される。そしてこの場合に、メニューキーにより「トリミング」が選択されて決定キーが押されると、画面上にエンコード可能なそれぞれの画質（圧縮率）が表示され、その画質を選択することによって、使用者は希望する任意の画質にて、拡大画像を新たに記録媒体に別画像として記録することができる。
【００４６】
従ってこの実施形態において、記録媒体に記録されている画像を任意の位置及び任意の倍率で表示し、表示された画像を任意の圧縮率で新たに別画像として記録媒体に記録するようにしたことによって、記録媒体に記録されている画像を任意の位置及び任意の倍率にして形成された画像を、使用者が希望する圧縮率で記録することができる。
【００４７】
これによって、従来の装置では、記録媒体に記録されている画像を再生し、任意の位置及び倍率にトリミングして新たに別画像として記録媒体に記録する場合に、トリミングによって形成された画像を、使用者が希望するサイズや圧縮率で記録することができなかったものを、本発明によればこれらの問題点を容易に解消することができるものである。
【００４８】
さらに本発明の第３の実施形態を説明するに、この第３の実施形態では、上述の図１に示した構成のブロック図、及び図２に示した通常時の再生処理の流れは第１の実施形態と同様であるので詳細な説明は省略する。
【００４９】
そこで第３の実施形態でトリミングを行う際には、例えば図９に示すように行われる。図９において、ステップＳ７０１で操作部１１０内のメニューキーが押されたか否か判別される。そして押されているとき（Ｙｅｓ）は、ステップＳ７０２でメニューがＯＮ中か否か判別され、ＯＮ中のとき（Ｙｅｓ）はステップＳ７０３でメニューがＯＦＦされて処理が終了される。またＯＮ中でないとき（Ｎｏ）はステップＳ７０４でメニューがＯＮされて処理が終了される。
【００５０】
またステップＳ７０１でメニューキーが押されていないとき（Ｎｏ）は、ステップＳ７０５で操作部１１０内の十字キーが押されたか否か判別され、押されているとき（Ｙｅｓ）は、ステップＳ７０６でメニューがＯＮ中か否か判別される。そしてＯＮ中のとき（Ｙｅｓ）は、ステップＳ７０７で十字キーが押された方向にカーソルが移動可能か否か判断され、可能のとき（Ｙｅｓ）はステップＳ７０８で押された方向にカーソルが移動されて処理が終了され、可能でないとき（Ｎｏ）はそのまま処理が終了される。
【００５１】
さらにステップＳ７０６でメニューがＯＮ中でないとき（Ｎｏ）は、ステップＳ７０９で十字キーが押された方向に画像がスクロール可能か否か判断され、可能のとき（Ｙｅｓ）はステップＳ７１０で押された方向に画像がスクロールされて処理が終了され、可能でないとき（Ｎｏ）はそのまま処理が終了される。
【００５２】
また、ステップＳ７０５で十字キーが押されていないとき（Ｎｏ）は、ステップＳ７１１で操作部１１０内の決定キーが押されたか否か判別され、押されていないとき（Ｎｏ）は処理が終了される。さらに押されているとき（Ｙｅｓ）は、ステップＳ７１２でメニューがＯＮ中か否か判別され、ＯＮ中でないとき（Ｎｏ）は処理が終了される。
【００５３】
そしてステップＳ７１２でＯＮ中のとき（Ｙｅｓ）は、ステップＳ７１３でカーソル位置が判断され、カーソル位置が「トリミング」のときはステップＳ７１４で画像サイズ選択画面が表示装置１１３に表示されて処理が終了される。またカーソル位置が「戻る」のときはステップＳ７１５で通常再生画面が表示装置１１３に表示されて処理が終了される。
【００５４】
さらに画像サイズ選択画面での動作は、例えば図１０に示すように行われる。図１０において、ステップＳ８０１で操作部１１０内の十字キーが押されたか否か判別され、押されているとき（Ｙｅｓ）は、ステップＳ８０２で十字キーが押された方向にカーソルが移動可能か否か判断され、可能のとき（Ｙｅｓ）はステップＳ８０３で押された方向にカーソルが移動されて処理が終了され、可能でないとき（Ｎｏ）はそのまま処理が終了される。
【００５５】
また、ステップＳ８０１で十字キーが押されていないとき（Ｎｏ）は、ステップＳ８０４で操作部１１０内の決定キーが押されたか否か判別され、押されていないとき（Ｎｏ）は処理が終了される。さらに押されているとき（Ｙｅｓ）は、ステップＳ８０５でカーソル位置が判断され、カーソル位置に応じてステップＳ８０６〜８０８でそれぞれのサイズに画像サイズが変換される。
【００５６】
またカーソル位置が「キャンセル」のときはステップＳ８０９で再生ズーム画面が表示装置１１３に表示されて処理が終了される。一方、ステップＳ８０６〜８０８でそれぞれのサイズに変換された画像は、ステップＳ８１０で圧縮率選択画面が表示装置１１３に表示されて処理が終了される。
【００５７】
さらに圧縮率選択画面での動作は、例えば図１１に示すように行われる。図１１において、ステップＳ９０１で操作部１１０内の十字キーが押されたか否か判別され、押されているとき（Ｙｅｓ）は、ステップＳ９０２で十字キーが押された方向にカーソルが移動可能か否か判断され、可能のとき（Ｙｅｓ）はステップＳ９０３で押された方向にカーソルが移動されて処理が終了され、可能でないとき（Ｎｏ）はそのまま処理が終了される。
【００５８】
また、ステップＳ９０１で十字キーが押されていないとき（Ｎｏ）は、ステップＳ９０４で操作部１１０内の決定キーが押されたか否か判別され、押されていないとき（Ｎｏ）は処理が終了される。さらに押されているとき（Ｙｅｓ）は、ステップＳ９０５でカーソル位置が判断され、カーソル位置に応じてステップＳ９０６〜９０８でそれぞれの圧縮率で画像がエンコードされる。
【００５９】
またカーソル位置が「キャンセル」のときはステップＳ９０９で再生ズーム画面が表示装置１１３に表示されて処理が終了される。一方、ステップＳ９０６〜９０８でそれぞれのサイズに変換された画像は、ステップＳ９１０でメモリコントローラ１０８を通じてフラッシュメモリ１０９に画像記録される。このようにしてトリミングされた画像の再記録が行われる。
【００６０】
そしてこの場合における通常再生状態からトリミング実行までの画面の遷移は例えば図１２に示すようになる。この図１２において、まず記録媒体に記録されている画像が再生されている状態（図１２のＡ）でズームアップキーが押されることにより拡大率が決定される。そしてこの拡大率に応じて再生画像の一部分が切り出され、この切り出された画像が表示装置１１３で表示するのに適したサイズに解像度変換されて、表示手段に拡大画像として表示される（図１２のＢ）。
【００６１】
続いて、この状態でメニューキーが押されることにより、画面上に「トリミング」と「戻る」のメニューが表示される（図１２のＣ）。ここで「トリミング」が選択されて決定キーが押されると、画面上に変換可能なそれぞれの画像サイズが表示される（図１２のＤ）。そして任意の画像サイズが選択されて決定キーが押されると、さらに画面上にエンコード可能なそれぞれの画質（圧縮率）が表示される（図１２のＥ）。そして任意の画質が選択されて決定キーが押されると、選択された画質にて、拡大画像が新たに記録媒体に別画像として記録される（図１２のＦ）。
【００６２】
こうしてこの装置において、通常再生状態からトリミングが行われて、トリミングされた画像が記録媒体に別画像として記録される。そしてこの場合に、メニューキーにより「トリミング」が選択されて決定キーが押されると、まず画面上に変換可能なそれぞれの画像サイズが表示され、その画像サイズを選択するとさらに画面上にエンコード可能なそれぞれの画質（圧縮率）が表示され、その画質を選択することによって、使用者は希望する任意の画像サイズ及び画質にて、拡大画像を新たに記録媒体に別画像として記録することができる。
【００６３】
従ってこの実施形態において、記録媒体に記録されている画像を任意の位置及び任意の倍率で表示し、表示された画像を任意の画像サイズ及び任意の圧縮率で新たに別画像として記録媒体に記録するようにしたことによって、記録媒体に記録されている画像を任意の位置及び任意の倍率にして形成された画像を、使用者が希望する画像サイズ及び圧縮率で記録することができる。
【００６４】
これによって、従来の装置では、記録媒体に記録されている画像を再生し、任意の位置及び倍率にトリミングして新たに別画像として記録媒体に記録する場合に、トリミングによって形成された画像を、使用者が希望するサイズや圧縮率で記録することができなかったものを、本発明によればこれらの問題点を容易に解消することができるものである。
【００６５】
こうして上述の第１の実施形態によれば、記録媒体に記録されている画像を任意の位置及び任意の倍率で表示する表示手段と、表示された画像を任意のサイズで新たに別画像として記録媒体に記録する記録手段とを備えることにより、記録媒体に記録されている画像を任意の位置及び任意の倍率にして形成された画像を、使用者が希望するサイズで記録することができるものである。
【００６６】
また、上述の第２の実施形態によれば、記録媒体に記録されている画像を任意の位置及び任意の倍率で表示する表示手段と、表示された画像を任意の圧縮率で新たに別画像として記録媒体に記録する記録手段とを備えることにより、記録媒体に記録されている画像を任意の位置及び任意の倍率にして形成された画像を、使用者が希望する圧縮率で記録することができるものである。
【００６７】
さらに上述の第３の実施形態によれば、記録媒体に記録されている画像を任意の位置及び任意の倍率で表示する表示手段と、表示された画像を任意のサイズ及び任意の圧縮率で新たに別画像として記録媒体に記録する記録手段とを備えることにより、記録媒体に記録されている画像を任意の位置及び任意の倍率にして形成された画像を、使用者が希望する画像サイズ及び圧縮率で記録することができるものである。
【００６８】
なお本発明は、上述の説明した実施の形態に限定されるものではなく、本発明の精神を逸脱することなく種々の変形が可能とされるものである。
【００６９】
【発明の効果】
従って請求項１の発明によれば、記録媒体に記録されている画像が再生されている状態で拡大率が決定される操作が行われることに応じて、再生画像の一部分を切り出して拡大画像として表示し、この拡大画像を複数の画像サイズの中から任意に選択したサイズで新たに別画像として記録媒体に記録するようにしたことによって、再生画像の一部分を切り出して表示させた拡大画像を、使用者が希望するサイズで記録することができるものである。
【００７０】
また、請求項２の発明によれば、さらにこの拡大画像を複数の圧縮率の中から任意に選択した圧縮率で別画像として記録媒体に記録するようにしたことによって、再生画像の一部分を切り出して表示させた拡大画像を、使用者が希望する画像サイズ及び圧縮率で記録することができるものである。
【００７１】
さらに請求項３の発明によれば、拡大画像が表示されている表示手段の画面上に表示される複数の画像サイズ及び複数の圧縮率の中から任意の画像サイズ及び圧縮率を選択することによって、再生画像の一部分を切り出して表示させた拡大画像を、使用者が希望する画像サイズ及び圧縮率で記録することができるものである。
【００７２】
これによって、従来の装置では、記録媒体に記録されている画像を再生し、任意の位置及び倍率にトリミングして新たに別画像として記録媒体に記録する場合に、トリミングによって形成された画像を、使用者が希望するサイズや圧縮率で記録することができなかったものを、本発明によればこれらの問題点を容易に解消することができるものである。
【図面の簡単な説明】
【図１】本発明を適用したデジタルカメラ装置の第１の実施形態の構成を示すブロック図である。
【図２】その動作の説明のためのフローチャート図である。
【図３】第１の実施形態の動作の説明のためのフローチャート図である。
【図４】第１の実施形態の動作の説明のためのフローチャート図である。
【図５】第１の実施形態の処理の説明のための表示画面図である。
【図６】第２の実施形態の動作の説明のためのフローチャート図である。
【図７】第２の実施形態の動作の説明のためのフローチャート図である。
【図８】第２の実施形態の処理の説明のための表示画面図である。
【図９】第３の実施形態の動作の説明のためのフローチャート図である。
【図１０】第３の実施形態の動作の説明のためのフローチャート図である。
【図１１】第３の実施形態の動作の説明のためのフローチャート図である。
【図１２】第３の実施形態の処理の説明のための表示画面図である。
【図１３】従来の動作の処理の説明のための表示画面図である。
【符号の説明】
１０１…撮像レンズ、１０２…半導体撮像素子（ＣＣＤ）、１０３…Ａ／Ｄ変換器、１０４…信号処理回路、１０５…メモリ装置（ＤＲＡＭ）、１０６…解像度変換回路、１０７…エンコード／デコード回路、１０８…メモリコントローラ、１０９…フラッシュメモリ、１１０…操作部、１１１…マイクロコンピュータ、１１２…文字信号発生回路、１１３…表示装置（ＬＣＤ）
【図１】
0004407071.tif 000002
【図２】
0004407071.tif 000003
【図３】
0004407071.tif 000004
【図４】
0004407071.tif 000005
【図５】
0004407071.tif 000006
【図６】
0004407071.tif 000007
【図７】
0004407071.tif 000008
【図８】
0004407071.tif 000009
【図９】
0004407071.tif 000010
【図１０】
0004407071.tif 000011
【図１１】
0004407071.tif 000012
【図１２】
0004407071.tif 000013
【図１３】
0004407071.tif 000014